(57)【要約】【課題】生体組織の運動による変化を吸収するとともに生体組織に対する貫通穴の位置決めを確実に行うことができるカテーテルを提供すること。【解決手段】内部に第１のルーメン１０と第２のルーメン１０とを有する細長い躯体をしており、基端側に第１のルーメン１０に流体を取り入れる第１の開口７と第２のルーメン１１に流体を取り入れる第２の開口８とを有し、第１のルーメン１０と連通する少なくとも１つの第１の貫通穴５と第２のルーメン１１と連通する第２の貫通穴９とを有するカテーテル本体２と、第２のルーメン１１と連通し、膨張時に第１の貫通穴５を覆わずにカテーテル本体２に固定されており、膨張時に生体組織１２の外部から生体組織１２に対するカテーテル本体２の位置を規定するように構成された、少なくとも１つのバルーン３と、を有する。【選択図】図１
2010273988.tif 000002
【特許請求の範囲】
【請求項１】
内部に第１のルーメンと第２のルーメンとを有する細長い躯体をしており、基端側に前記第１のルーメンに流体を取り入れる第１の開口と前記第２のルーメンに流体を取り入れる第２の開口とを有し、前記第１のルーメンと連通する少なくとも１つの第１の貫通穴と前記第２のルーメンと連通する第２の貫通穴とを有するカテーテル本体と、
前記第２の貫通穴を経由して前記第２のルーメンと連通し、膨張時に前記第１の貫通穴を覆わない態様で前記カテーテル本体に固定されており、膨張時に生体組織の外部から前記生体組織に対する前記カテーテル本体の位置を規定するように構成された、少なくとも１つのバルーンと、
を有することを特徴とするカテーテル。
【請求項２】
前記バルーンの膨張時の形状は、前記カテーテル本体の軸方向の最大長より、軸に直交する方向の最大長の方が、長いものであることを特徴とする請求項１に記載のカテーテル。
【請求項３】
前記バルーンの膨張時の形状は、略球体であることを特徴とする請求項１に記載のカテーテル。
【請求項４】
前記バルーンの膨張時の形状は、略円環体であることを特徴とする請求項１に記載のカテーテル。
【請求項５】
前記バルーンは、各々が独立している複数のサブバルーンにより構成されていることを特徴とする請求項１に記載のカテーテル。
【請求項６】
前記バルーン本体の先端は、尖った穿刺部であることを特徴とする請求項１に記載のカテーテル。
【請求項７】
前記バルーンは、膨張時に前記バルーン本体の先端を覆うものであることを特徴とする請求項６に記載のカテーテル。
【請求項８】
前記カテーテル本体の先端は、開口部であることを特徴とする請求項１に記載のカテーテル。
【請求項９】
前記バルーンは、膨張時に前記カテーテル本体の先端を覆い、前記開口を塞ぐものであることを特徴とする請求項８に記載のカテーテル。
【請求項１０】
前記貫通穴は、前記カテーテル本体の側面に位置しており、
前記バルーンは、前記貫通穴よりも前記カテーテル本体の先端側に位置していることを特徴とする請求項１に記載のカテーテル。
【請求項１１】
前記カテーテル本体の前記貫通穴より基端側の側面に係留部が配設されていることを特徴とする請求項１０に記載のカテーテル。
【請求項１２】
前記貫通穴は、前記カテーテル本体の側面に位置しており、
前記バルーンは、前記貫通穴よりも前記カテーテル本体の基端側に位置していることを特徴とする請求項１に記載のカテーテル。
【請求項１３】
前記カテーテル本体の前記貫通穴より先端側の側面に係留部が配設されていることを特徴とする請求項１２に記載のカテーテル。
【請求項１４】
前記貫通穴は、前記カテーテル本体の側面に位置しており、
前記少なくとも１つのバルーンは、前記貫通穴よりも前記カテーテル本体の先端側に位置している第１のバルーンと、基端側に位置している第２のバルーンとを含むことを特徴とする請求項１に記載のカテーテル。
【請求項１５】
前記カテーテル先端に取り付け可能な別のバルーンをさらに有することを特徴とする請求項１に記載のカテーテル。
【請求項１６】
前記カテーテル本体に対してスライド可能な部材であり、内部に第３のルーメンと前記カテーテル本体が挿通する両端が開いた第４のルーメンとを有する細長い躯体をしており、基端側に前記第３のルーメンに流体を取り入れる第３の開口を有するスライド部材本体と、
前記第３のルーメンと連通し、前記スライド部材本体に固定され、膨張時に生体組織の外部から前記生体組織に対する前記スライド部材本体の位置を規定するように構成された少なくとも１つの第２のバルーンと、
を有するスライド部材をさらに有することを特徴とする請求項１に記載のカテーテル。
【請求項１７】
前記バルーンは、前記第１の貫通穴の先端側から基端側に渡って位置しており、前記第１の貫通穴と前記バルーン外部との空間を連通させる連通路が前記バルーンに設けられていることを特徴とする請求項１に記載のカテーテル。
【請求項１８】
前記連通路は、スリットであることを特徴とする請求項１７に記載のカテーテル。
【請求項１９】
前記第１の貫通穴は、前記生体組織に覆われない前記連通路に対応する位置に設けられることを特徴とする請求項１７に記載のカテーテル。
【請求項２０】
前記バルーンは、前記生体組織に覆われない部分に対応する部分の厚さが前記生体組織に覆われる部分に対応する部分の厚さに比して薄いことを特徴とする請求項１７に記載のカテーテル。
【請求項２１】
前記第１の貫通穴は、前記生体組織に覆われる部分に設けられることを特徴とする請求項１に記載のカテーテル。
【請求項２２】
前記バルーンは、前記生体組織に覆われない部分の少なくとも一端に設けられることを特徴とする請求項１に記載のカテーテル。
【発明の詳細な説明】
【技術分野】
【０００１】
この発明は、生体内に挿入されて用いられるカテーテルに関するものである。
【背景技術】
【０００２】
従来から、人間や人間以外の哺乳動物等に挿入されるカテーテルは、内部にチャネルを有する細長い管状をしている。この管状の躯体のうち体内に挿入される部分には、薬剤の吐出等を目的として内部チャネルと外部を連通する貫通穴が設けられている。
【０００３】
なお、特許文献１には、カテーテルの先端開口を塞ぐためにバルーンを設けたものが記載されている。
【０００４】
また、非特許文献１には、尿道または膀胱内に留置を行い、排尿、薬液の注入および排出、止血等に用いるカテーテルが記載され、このカテーテルの先端にバルーンを設けるものが記載されている。
【先行技術文献】
【特許文献】
【０００５】
【特許文献１】特開２００２−１１９５９７号公報
【０００６】
【非特許文献１】独立行政法人  医薬品医療機器総合機構、医療用医薬品の添付文書情報、“ＪＭＳ（登録商標）フォーリーカテーテル”、医療機器承認番号１６３００ＢＺＹ００６６６０００、２００６年１月１９日改訂（第３版）、インターネット＜ＵＲＬ：1243576599625_0.pdf＞
【発明の概要】
【発明が解決しようとする課題】
【０００７】
ところで、上述したカテーテルを臓器等の生体組織に穿刺して、生体組織中の腫瘍等の投薬目標に薬剤等を投与する場合、貫通穴が投薬目標中に位置して動かないように、生体組織に対してカテーテルを位置規制する必要がある。
【０００８】
しかしながら、生体は呼吸や運動などに従って、その形や姿勢を変化させており、これに合わせて生体組織の形状・位置も一定でなく常に変化する。このため、この生体組織の運動による変化を吸収してカテーテルの生体組織に対する貫通穴の位置決めを確実に行うことが要望されている。
【０００９】
この発明は、上記に鑑みてなされたものであって、生体組織の運動による変化を吸収するとともに生体組織に対する貫通穴の位置決めを確実に行うことができるカテーテルを提供することを目的とする。
【課題を解決するための手段】
【００１０】
上述した課題を解決し、目的を達成するために、この発明にかかるカテーテルは、内部に第１のルーメンと第２のルーメンとを有する細長い躯体をしており、基端側に前記第１のルーメンに流体を取り入れる第１の開口と前記第２のルーメンに流体を取り入れる第２の開口とを有し、前記第１のルーメンと連通する少なくとも１つの第１の貫通穴と前記第２のルーメンと連通する第２の貫通穴とを有するカテーテル本体と、前記第２の貫通穴を経由して前記第２のルーメンと連通し、膨張時に前記第１の貫通穴を覆わない態様で前記カテーテル本体に固定されており、膨張時に生体組織の外部から前記生体組織に対する前記カテーテル本体の位置を規定するように構成された、少なくとも１つのバルーンと、を有することを特徴とする。
【００１１】
また、この発明にかかるカテーテルは、上記の発明において、前記バルーンの膨張時の形状は、前記カテーテル本体の軸方向の最大長より、軸に直交する方向の最大長の方が、長いものであることを特徴とする。
【００１２】
また、この発明にかかるカテーテルは、上記の発明において、前記バルーンの膨張時の形状は、略球体であることを特徴とする。
【００１３】
また、この発明にかかるカテーテルは、上記の発明において、前記バルーンの膨張時の形状は、略円環体であることを特徴とする。
【００１４】
また、この発明にかかるカテーテルは、上記の発明において、前記バルーンは、各々が独立している複数のサブバルーンにより構成されていることを特徴とする。
【００１５】
また、この発明にかかるカテーテルは、上記の発明において、前記バルーン本体の先端は、尖った穿刺部であることを特徴とする。
【００１６】
また、この発明にかかるカテーテルは、上記の発明において、前記バルーンは、膨張時に前記バルーン本体の先端を覆うものであることを特徴とする。
【００１７】
また、この発明にかかるカテーテルは、上記の発明において、前記カテーテル本体の先端は、開口部であることを特徴とする。
【００１８】
また、この発明にかかるカテーテルは、上記の発明において、前記バルーンは、膨張時に前記カテーテル本体の先端を覆い、前記開口を塞ぐものであることを特徴とする。
【００１９】
また、この発明にかかるカテーテルは、上記の発明において、前記貫通穴は、前記カテーテル本体の側面に位置しており、前記バルーンは、前記貫通穴よりも前記カテーテル本体の先端側に位置していることを特徴とする。
【００２０】
また、この発明にかかるカテーテルは、上記の発明において、前記カテーテル本体の前記貫通穴より基端側の側面に係留部が配設されていることを特徴とする。
【００２１】
また、この発明にかかるカテーテルは、上記の発明において、前記貫通穴は、前記カテーテル本体の側面に位置しており、前記バルーンは、前記貫通穴よりも前記カテーテル本体の基端側に位置していることを特徴とする。
【００２２】
また、この発明にかかるカテーテルは、上記の発明において、前記カテーテル本体の前記貫通穴より先端側の側面に係留部が配設されていることを特徴とする。
【００２３】
また、この発明にかかるカテーテルは、上記の発明において、前記貫通穴は、前記カテーテル本体の側面に位置しており、前記少なくとも１つのバルーンは、前記貫通穴よりも前記カテーテル本体の先端側に位置している第１のバルーンと、基端側に位置している第２のバルーンとを含むことを特徴とする。
【００２４】
また、この発明にかかるカテーテルは、上記の発明において、前記カテーテル先端に取り付け可能な別のバルーンをさらに有することを特徴とする。
【００２５】
また、この発明にかかるカテーテルは、上記の発明において、前記カテーテル本体に対してスライド可能な部材であり、内部に第３のルーメンと前記カテーテル本体が挿通する両端が開いた第４のルーメンとを有する細長い躯体をしており、基端側に前記第３のルーメンに流体を取り入れる第３の開口を有するスライド部材本体と、前記第３のルーメンと連通し、前記スライド部材本体に固定され、膨張時に生体組織の外部から前記生体組織に対する前記スライド部材本体の位置を規定するように構成された少なくとも１つの第２のバルーンと、を有するスライド部材をさらに有することを特徴とする。
【００２６】
また、この発明にかかるカテーテルは、上記の発明において、前記バルーンは、前記第１の貫通穴の先端側から基端側に渡って位置しており、前記第１の貫通穴と前記バルーン外部との空間を連通させる連通路が前記バルーンに設けられていることを特徴とする。
【００２７】
また、この発明にかかるカテーテルは、上記の発明において、前記連通路は、スリットであることを特徴とする。
【００２８】
また、この発明にかかるカテーテルは、上記の発明において、前記第１の貫通穴は、前記生体組織に覆われない前記連通路に対応する位置に設けられることを特徴とする。
【００２９】
また、この発明にかかるカテーテルは、上記の発明において、前記バルーンは、前記生体組織に覆われない部分に対応する部分の厚さが前記生体組織に覆われる部分に対応する部分の厚さに比して薄いことを特徴とする。
【００３０】
また、この発明にかかるカテーテルは、上記の発明において、前記第１の貫通穴は、前記生体組織に覆われる部分に設けられることを特徴とする。
【００３１】
また、この発明にかかるカテーテルは、上記の発明において、前記バルーンは、前記生体組織に覆われない部分の少なくとも一端に設けられることを特徴とする。
【発明の効果】
【００３２】
この発明によれば、内部に第１のルーメンと第２のルーメンとを有する細長い躯体をしており、基端側に前記第１のルーメンに流体を取り入れる第１の開口と前記第２のルーメンに流体を取り入れる第２の開口とを有し、前記第１のルーメンと連通する少なくとも１つの第１の貫通穴と前記第２のルーメンと連通する第２の貫通穴とを有するカテーテル本体と、前記第２の貫通穴を経由して前記第２のルーメンと連通し、膨張時に前記第１の貫通穴を覆わない態様で前記カテーテル本体に固定されており、膨張時に生体組織の外部から前記生体組織に対する前記カテーテル本体の位置を規定するように構成された、少なくとも１つのバルーンと、を有するカテーテルが提供される。このバルーンの弾性と復元性によって、生体組織の運動による変化を吸収するとともに生体組織に対する貫通穴の位置決めを確実に行うことができる。また、カテーテルの生体組織からの抜出も、バルーンから流体を抜いてバルーンを縮めることにより、容易になる。
【図面の簡単な説明】
【００３３】
【図１】図１は、この発明の実施の形態１にかかるカテーテルの構成を示す断面模式図である。
【図２】図２は、図１に示したカテーテルの構成を示す斜視図である。
【図３】図３は、この発明の実施の形態１にかかるカテーテルのバルーン形状を変えた構成を示す断面模式図である。
【図４】図４は、図３に示したカテーテルの構成を示す斜視図である。
【図５】図５は、この発明の実施の形態１にかかるカテーテルのバルーンを分割したバルーン形状を変えた構成を示す断面模式図である。
【図６】図６は、図１のカテーテルの先端が開口している構成を示す斜視図である。
【図７】図７は、図１のカテーテルの先端を塞ぐバルーンの構成を示す斜視図である。
【図８】図８は、バルーンに加えて係留部を設けた一例を示す図である。
【図９】図９は、バルーンに加えて係留部を設け他の例を示す図である。
【図１０−１】図１０−１は、バルーンを貫通穴よりカテーテル本体の先端側に配置し、係留部を貫通穴よりカテーテル本体の基端側に配置した一例を示す模式図である。
【図１０−２】図１０−２は、バルーンを貫通穴よりカテーテル本体の基端側に配置し、係留部を貫通穴よりカテーテル本体の先端側に配置した一例を示す模式図である。
【図１０−３】図１０−３は、２つのバルーンを配置した一例を示す図である。
【図１１】図１１は、２つのバルーンのうち１つのバルーンを分離可能にした構成を示す図である。
【図１２】図１２は、２つのバルーンのうち１つのバルーンを分離可能にし、この１つのバルーンをスライド可能に装着できる構成を示す図である。
【図１３】図１３は、図１２に示したスライド部材の断面構成を示す図である。
【図１４】図１４は、図１２に示したカテーテル本体の断面構成を示す図である。
【図１５】図１５は、この発明の実施の形態２にかかるカテーテルの構成を示す斜視図である。
【図１６】図１６は、図１５に示したカテーテルの貫通穴近傍の構成を示す断面図である。
【図１７】図１７は、この発明の実施の形態２にかかるカテーテルの変形例の構成を示す断面図である。
【発明を実施するための形態】
【００３４】
以下、図面を参照して、この発明を実施するための形態であるカテーテルについて説明する。
【００３５】
（実施の形態１）
図１は、この発明の実施の形態１にかかるカテーテルの構成を示す断面模式図である。また、図２は、図１に示したカテーテルの構成を示す斜視図である。図１および図２において、このカテーテル１は、カテーテル本体２とバルーン３とを有する。なお、図１（ａ）および図２は、バルーン３が膨張した状態を示し、図１（ｂ）は、バルーン３が萎んだ状態を示している。
【００３６】
カテーテル本体２は、内部に第１のルーメン１０と第２のルーメン１１とを有する細長い躯体をしており、基端側に第１のルーメン１０に薬剤等の流体を取り入れる第１の開口７と第２のルーメン１１に空気や水等の流体を取り入れる第２の開口８とを有する。また、カテーテル本体２の側面には、第１のルーメン１０と連通する少なくとも１つの第１の貫通穴５と第２のルーメン１１と連通する第２の貫通穴９とが形成される。カテーテル本体２の基端部には分岐部６が設けられ、第１の開口７は分岐部６の基端に設けられている。また、カテーテル本体２の先端は、尖った穿刺部４となっている。カテーテル本体２は、例えば、シリコン、テフロン（登録商標）、ポリ塩化ビニール、ポリエチレンなどの材質で形成することができる。
【００３７】
ここで、第１の開口７から入った流体は、第１のルーメン１０を通って第１の貫通穴５から、カテーテル１外部に吐出される。また、第２の開口８から入った流体は、第２のルーメン１１を通って第２の貫通穴９に到り、バルーン３に流入してバルーン３を膨張させる。
【００３８】
バルーン３は、第２の貫通穴９を経由して第２のルーメン１１と連通し、膨張時に第１の貫通穴５を覆わない態様でカテーテル本体２に固定されている。このバルーン３は、膨張時に生体組織１２の外部から生体組織１２に対するカテーテル本体２の位置を規定するものである。バルーン３は、膨張時に生体組織１２に接することが好ましい。また、バルーン３は、例えばシリコンゴムやラテックスで形成することができる。なお、バルーン３は、膨張時に第１の貫通穴５を覆わない態様であればよく、第１の貫通穴５側に傾いていてもよいし、非膨張時あるいは膨張過程で第１の貫通穴５を覆っていてもよい。要は、バルーン３の膨張時に第１の貫通穴が塞がっていなければよい。
【００３９】
バルーン３は、図１および図２に示すように、略球形であり、カテーテル本体２の先端側と後端側とが各々開口となっており、この開口を結ぶ通路にカテーテル本体２が挿通され、固定されている。この開口の関係で、バルーン２の膨張時の形状は、カテーテル本体２の軸方向の最大長Ｌ１より、軸に直交する方向の最大長Ｌ２の方が、長いものである。この形状的特徴により、生体組織１２とバルーン３がと広い面積で接するようになっている。なお、バルーン３は、カテーテル１が生体組織１２に穿刺された時点では萎んでいるが、穿刺後に第２の開口８から流入してきた流体によって膨張する。
【００４０】
なお、バルーン３の形状は、略球形に限定されない。たとえば、図３および図４に示したカテーテル１ａのように、略球形のバルーン３に替えて略円環形（ドーナッツ型）のバルーン１５としてもよい。この場合でもバルーン１５の膨張時の形状は、カテーテル本体２の軸方向の最大長Ｌ１より、軸に直交する方向の最大長Ｌ２の方が長くなっている。
【００４１】
さらに、図５に示したカテーテル１ｂのように、各々が独立している複数のサブバルーン１６ａ，１６ｂ，１６ｃより構成されているバルーン１６としてもよい。このようにバルーン１６を複数のサブバルーン１６ａ〜１６ｃに分割することで、バルーン１６を膨張させるのに必要な流体の量を少なくすることができる。この場合でもバルーン１６の膨張時の形状は、カテーテル本体２の軸方向の最大長Ｌ１より、軸に直交する方向の最大長Ｌ２の方が長くなっている。
【００４２】
また、図６に示したカテーテル１ｃのように、カテーテル本体２の先端部が開口１７であってもよい。第２の開口８と開口１７とを使用してガイドワイヤ１８を用いることができる。なお、図６では、バルーン３が萎んでいる状態を示している。この場合、薬剤等の吐出用の経路（第１の開口７、第１のルーメン１０、第１の貫通穴５）およびバルーン３を膨張させるための経路（第２の開口８、第２のルーメン１１、第２の貫通穴９）に加えて、ガイドワイヤ用の経路（ワイヤ挿入用開口１８ａ、ガイドワイヤ用ルーメン１８ｂ、開口１７）を備える。
【００４３】
さらに、図７に示したカテーテル１ｄのように、膨張時にカテーテル本体２の先端を覆うように構成したバルーン２０としてもよい。この場合、カテーテル本体２の先端が穿刺部４となっている場合は、鋭利な穿刺部４が膨張時のバルーン２０によって覆われ、穿刺部４によって生体内部を傷つける恐れがなくなる。また、カテーテル本体２の先端が開口１７になっている場合は、膨張時のバルーン２０が開口１７を塞ぐようになっている。これにより、開口１７を介して体液等がカテーテル１ｄ内に侵入するのを防止できる。
【００４４】
ところで、上述したカテーテル１，１ａ〜１ｄは、流体により膨張するバルーン３，１５，１６，２０により生体組織１２に対するカテーテル１，１ａ〜１ｄの位置を、生体組織１２の外表とバルーン３，１５，１６，２０とが当接することで規定するものである。しかし、これ以外にも、たとえば、図８に示した、フランジ２１や、図９に示した、縫合糸が通る穴２２ａが形成された突起２２などの係留部をさらに設けてカテーテル１，１ａ〜１ｄを生体組織１２に係留するようにしてもよい。なお、フランジ２１は、生体組織１２に当接させるのみでなく、図８に示すように、縫合糸が通る穴２１ａを形成して係留することが好ましい。
【００４５】
この場合、図１０−１に示すように、バルーン３を貫通穴５よりカテーテル本体２の先端側に配置し、フランジ２１や突起２２などの係留部３１を貫通穴５よりカテーテル本体２の基端側に配置してもよいし、図１０−２に示すように、バルーン３を貫通穴５よりカテーテル本体２の基端側に配置し、係留部３１を貫通穴５よりカテーテル本体２の先端側に配置してもよい。もちろん、図１０−３に示すように、バルーン３を貫通穴５よりカテーテル本体２の先端側に配置するとともに、バルーン３に対応するバルーン３３を貫通穴５よりカテーテル本体２の基端側に配置してもよい。この場合、生体組織１２は、２つのバルーン３，３３によって挟まれ、位置決めされることになる。
【００４６】
また、２つのバルーンを用いる場合、図１１に示すように、２つのバルーン３，３５のうち、一方のバルーン３を貫通穴５よりカテーテル本体２の基端側に配置しておき、他方のバルーン３５を、カテーテル本体２の先端に取り付け可能としてもよい。このバルーン３５は、カテーテル本体２の先端に取り付け可能なパイプ３４に、膨張した状態で取り付けられている。そして、このパイプ３４をカテーテル本体２の先端に取り付けることによって、バルーン３５が生体組織１２に当接し、カテーテル本体２を位置決めすることができる。
【００４７】
この他方のバルーンは、カテーテル本体２にスライド可能に取り付けられるようにしてもよい。すなわち、図１２に示すように、カテーテル本体２に対してスライド可能な部材であるスライド部材４０を用いて、スライド部材４０に固定されたバルーン４１と、カテーテル本体２に固定されたバルーン３とで生体組織１２を挟んでカテーテル１の位置を規定するようにしてもよい。
【００４８】
スライド部材４０は、スライド部材本体４２を有し、スライド部材本体４２は、図１３の断面図に示すように、内部に第３のルーメン５０とカテーテル本体２が挿通する両端が開いた第４のルーメン５１とを有する細長い躯体をしており、基端側に第３のルーメン５０に流体を取り入れる第３の開口４４を有した分岐部４３を備える。バルーン４１は、第３のルーメン５０と連通し、スライド部材本体４２に固定されている。バルーン４１は、バルーン３と同様に、膨張時に生体組織１２の外部から生体組織１２に対するスライド部材４０の位置を規定するものである。これによって、様々なサイズの生体組織１２に対応できる。
【００４９】
一方、スライド部材４０が取り付けられるカテーテル本体２は、図１４の断面図に示すように、内部に薬剤等用の第１のルーメン５２と、カテーテル本体２の先端側に取り付けられたバルーン３を膨張させるための第２のルーメン５３と、ガイドワイヤ送通用のルーメン５４とを有する。第１のルーメン５２は、カテーテル本体２の基端側に設けられた分岐部４６の基端に形成された薬剤用の第１の開口４７と貫通穴５とを連通させる。また、第２のルーメン５３は、カテーテル本体２の基端側に設けられた分岐部４９の基端に形成された、バルーン３の膨張用の第２の開口４８と、バルーン３内部とを連通させる。さらに、カテーテル本体２の基端には、ガイドワイヤ用の開口４５が形成され、カテーテル本体２の先端と基端とが、図示しないルーメンによって連通し、ガイドワイヤが挿通可能となる。
【００５０】
ここで、少なくともバルーン３が萎んだ状態で、カテーテル１の先端側からスライド部材４０がカテーテル本体２に組み合わされる。この結果、図１２（ｂ）に示すように、カテーテル本体２の先端に設けられたバルーン３と、軸方向に移動可能なスライド部材４０の先端側に設けられたバルーン４１とによって、貫通孔５が配置される生体組織１２を挟み、カテーテル本体２とスライド部材４０とが位置決めされる。この場合、各バルーン３，４１は、独立して膨張させることができる。
【００５１】
この実施の形態１では、少なくともバルーン３によって生体組織１２に対するカテーテル本体２の位置決めを行うことができるとともに、生体組織１２および他の生体組織の運動による変化をバルーン３が吸収してカテーテル１の位置決めを確実に行うことができる。
【００５２】
（実施の形態２）
つぎに、この発明の実施の形態２について説明する。上述した実施の形態１では、１つのバルーンが生体組織の一端に接してカテーテルを位置決めするようにしていたが、この実施の形態２では、１つのバルーンが生体組織の両端に接してカテーテルを位置決めするようにしている。
【００５３】
図１５は、この発明の実施の形態２にかかるカテーテルの構成を示す斜視図である。また、図１６は、図１５に示したカテーテルのバルーンが生体組織に配置された状態を示す断面図である。図１５および図１６に示すように、カテーテル本体２に設けられるバルーン１０３は、第１の貫通穴５の先端側から基端側に渡って位置しており、第１の貫通穴５とバルーン１０３外部との空間を連通させる連通路としてのスリット１１０が設けられている。すなわち、このスリット１１０に対応する位置には、バルーン１０３が介在せず、薬剤等を吐出するルーメンから貫通穴５を介して生体組織１２がそのまま接し、あるいは生体組織１２との間に空間を形成する。バルーン１０３の軸方向両端側のカテーテル本体２側面には、貫通穴９が設けられ、バルーン１０３を膨張させるための流体が流入される。
【００５４】
そして、カテーテル本体２を生体組織１２に穿刺（貫通）し、貫通孔９を介して流体を流入してバルーン１０３を膨張させると、図１５（ｂ）および図１６に示すように、生体組織１２外に位置する部分のバルーン１０３が主として膨張し、生体組織１２とバルーン１０３とが密着する。これによって、生体組織１２に対するカテーテル本体２の位置決めが行われるとともに、生体組織１２および他の生体組織の運動による変化をバルーン１０３が吸収してカテーテル１０１の位置決めを確実に行うことができる。
【００５５】
なお、図１６に示すように、バルーン１０３は、バルーン１０３が生体組織１２によって覆われる部分Ｅ１に比してバルーン１０３が生体組織１２によって覆われない部分Ｅ２の厚さ（バルーンの膜厚）を薄くしておくことが好ましい。これによって、生体組織１２によって覆われない部分のバルーン１０３は、カテーテル本体２の軸方向に垂直な方向に膨張しやすくなり、バルーン１０３と生体組織１２との接触面積を大きくすることができ、カテーテル１０１の安定した位置決めを行うことができる。
【００５６】
また、図１７に示すように、スリット１１０に替えて、貫通穴１２０としてもよい。この場合、スリット１１０と同様に、生体組織１２と貫通穴５との間に空隙が生成しやすく、薬剤等の吐出を確実に行うことができるとともに、貫通穴５の薬剤等による詰まりの発生を少なくすることができる。
【００５７】
なお、上述した実施の形態では、バルーンの膨張時のみについて説明したが、これらのバルーンは、すべてバルーン内の流体を吸引することによって、収縮が可能であり、容易にカテーテルを体外に引き抜くことができる。
【符号の説明】
【００５８】
１，１ａ〜１ｄ，１０１  カテーテル
２  カテーテル本体
３，１５，１６，２０，３３，３５，４１，１０３  バルーン
４  穿刺部
５，９，１２０  貫通穴
６，４３，４６，４９  分岐部
７  第１の開口
８  第２の開口
１０，５２  第１のルーメン
１１，５３  第２のルーメン
１２  生体組織
１６ａ〜１６ｃ  サブバルーン
１７，４４，４５，４７，４８  開口
１８  ガイドワイヤ
１８ａ  ワイヤ挿入用開口
１８ｂ  ガイドワイヤ用ルーメン
２１  フランジ
２２  突起
３１  係留部
３４  パイプ
４０  スライド部材
４２  スライド部材本体
５０  第３のルーメン
５１  第４のルーメン
５４  ルーメン
１１０  スリット  
Ｌ１，Ｌ２  最大長
【図１】
2010273988.tif 000003
【図２】
2010273988.tif 000004
【図３】
2010273988.tif 000005
【図４】
2010273988.tif 000006
【図５】
2010273988.tif 000007
【図６】
2010273988.tif 000008
【図７】
2010273988.tif 000009
【図８】
2010273988.tif 000010
【図９】
2010273988.tif 000011
【図１０−１】
2010273988.tif 000012
【図１０−２】
2010273988.tif 000013
【図１０−３】
2010273988.tif 000014
【図１１】
2010273988.tif 000015
【図１２】
2010273988.tif 000016
【図１３】
2010273988.tif 000017
【図１４】
2010273988.tif 000018
【図１５】
2010273988.tif 000019
【図１６】
2010273988.tif 000020
【図１７】
2010273988.tif 000021